(57)【要約】  【課題】  感光体上にトナーが均一に供給され、感光体表面の偏摩耗を抑制することが可能な画像形成装置を提供すること。  【解決手段】  入力された画像データに基づき感光体上にトナー像を形成する際に、Ａ４記録紙の短手方向を先端にして給紙されるＡ４Ｓ記録紙に応じて画像データを出力し（Ａ４Ｓ出力処理）、次に、Ａ４記録紙の長手方向を先端にして給紙されるＡ４Ｌ記録紙に収まるように、画像データを９０度回転して出力し（Ａ４Ｌ出力処理）、感光体上に形成されるトナー像の位置が偏らないように、Ａ４Ｓ記録紙／Ａ４Ｌ記録紙出力が混在するように出力する画像形成装置。  【選択図】  図４
2006267867.tif 000002
【特許請求の範囲】
【請求項１】
記録媒体の長手方向を先端にした向きで給紙する第１の給紙部と、
前記第１の給紙部から給紙される記録媒体と同一サイズの記録媒体について、この記録媒体の短手方向を先端にした向きで給紙する第２の給紙部と、
前記第１の給紙部からの出力と前記第２の給紙部からの出力とを混在させるように制御する制御部と
を含む画像形成装置。
【請求項２】
入力された画像データに対して画像処理を施す画像処理部と、
前記画像処理部により画像処理が施された画像データに基づいてトナー像を担持する像担持体と、
前記像担持体に担持されたトナー像を記録媒体に転写する転写手段とを備え、
前記制御部は、同一の画像を同一の向きで一定枚数以上出力した後に、前記画像処理部に対して画像回転処理を指示し、当該画像回転処理に連動して前記第１の給紙部および前記第２の給紙部の何れか一方からの給紙を制御することを特徴とする請求項１記載の画像形成装置。
【請求項３】
前記制御部は、前記第１の給紙部からの出力と前記第２の給紙部からの出力とを交互に実行するように制御することを特徴とする請求項１記載の画像形成装置。
【請求項４】
出力すべき画像データに対して回転処理をする／しないを選択的に実行して画像処理を施す画像処理手段と、
前記画像処理手段により画像処理が施された画像データに基づいて像担持体上に形成されたトナー像を記録媒体に転写してプリント出力する画像出力手段とを備え、
前記画像出力手段は、前記画像処理手段による画像回転処理をする／しないに連動して記録媒体の送り方向を長手/短手で混在させた状態でプリント出力することにより、前記像担持体上に形成されるトナー像の位置の偏りを抑制することを特徴とする画像形成装置。
【請求項５】
前記画像処理手段は、前記画像データに対して９０度回転処理をする／しないを選択的に実行することを特徴とする請求項４記載の画像形成装置。
【請求項６】
前記画像処理手段は、記録媒体の長手／短手いずれか１方向で送られる前記記録媒体の所定の枚数に基づき前記画像データに対して回転処理をする／しないを選択的に実行することを特徴とする請求項４記載の画像形成装置。
【請求項７】
前記画像処理手段は、記録媒体の長手／短手いずれか１方向で交互に送られる前記記録媒体の送り方向に基づき前記画像データに対して回転処理をする／しないを選択的に実行することを特徴とする請求項４記載の画像形成装置。
【請求項８】
入力された画像データに基づいて像担持体上にトナー像を形成し、当該像担持体上に形成されたトナー像を記録媒体に転写して出力する画像形成方法であって、
記録媒体の短手方向および長手方向の何れか一方の向きを先端にして記録媒体を搬送し、
前記一方の向きに対応して画像処理を施して前記像担持体上にトナー像を形成すると共に、形成された当該トナー像を当該一方の向きで搬送される記録媒体に転写して出力し、
前記一方の向きでの出力が所定の範囲を超えた状態にて、当該一方とは異なる他方の向きに対応して画像処理を施して前記像担持体上にトナー像を形成すると共に、形成された当該トナー像を当該他方の向きで搬送される記録媒体に転写して出力することを特徴とする画像形成方法。
【請求項９】
前記像担持体上に形成されたトナー像を前記一方の向きで搬送される記録媒体の所定の枚数に転写して出力した後、当該一方とは異なる前記他方の向きに応じて画像処理を施すことを特徴とする請求項８記載の画像形成方法。
【請求項１０】
前記像担持体上に形成されたトナー像を前記一方の向きで搬送される記録媒体に転写する出力と、当該一方とは異なる前記他方の向きで搬送される記録媒体に転写する出力と、を交互に実行することを特徴とする請求項８記載の画像形成方法。
【請求項１１】
入力された画像データに基づき像担持体上にトナー像を形成する画像形成方法であって、
前記トナー像が転写される所定の大きさの記録媒体の長手方向または短手方向を先端にした前記記録媒体の向きに応じて前記画像データを回転させて出力し、
前記出力された前記画像データが収まるように、前記記録媒体の長手方向を先端にした当該記録媒体の向きと記録媒体の短手方向を先端にした当該記録媒体の向きとを切り替えて出力することを特徴とする画像形成方法。
【請求項１２】
少なくとも１枚の前記記録媒体を当該記録媒体の短手方向を先端にして給紙し、続いて、少なくとも１枚の前記記録媒体を当該記録媒体の長手方向を先端にして給紙することを特徴とする請求項１１記載の画像形成方法。
【請求項１３】
前記像担持体上に、前記記録媒体の短手方向を先端にして所定枚数が給紙される向きに前記トナー像を形成し、その後、前記記録媒体の長手方向を先端にして所定枚数が給紙される向きに前記トナー像を形成するように前記画像データを回転し、当該像担持体の偏磨耗を抑制することを特徴とする請求項１１記載の画像形成方法。
【発明の詳細な説明】
【技術分野】
【０００１】
本発明は、画像形成装置等に関し、より詳しくは、電子写真装置の複写機やプリンタ等に用いられる画像形成装置等に関する。
【背景技術】
【０００２】
従来、電子写真方式のプリンタや複写機の感光体上には、転写行程で転写されないトナーが残るため、このトナーを除去するクリーニング手段が備えられている。通常、クリーニング手段は、感光体に常時圧接されているため、クリーニング手段と感光体との間に摩擦抵抗が発生し、その結果、感光体表面が摩耗することが知られている。
例えば、図６は、感光体膜厚の減少とトナー濃度との関係を説明するための図である。図６（ａ）に示すように、感光体にトナーを供給しない状態で走行枚数２０，０００枚の走行試験を行った場合は、感光体の膜厚が２５μｍから１９μｍ程度に減少するのに対して、トナーを供給した場合は、１２μｍ程度まで減少する。このように、感光体上にトナーが常に供給される場合は、感光体表面の摩耗が加速されるため、トナーの供給が少ない部分と多い部分とで、感光体の摩耗量に差が生じる（偏摩耗）。
また、図６（ｂ）に示すように、感光体の膜厚が減少すると、感光体表面のトナー濃度が増大する現象が知られている。即ち、感光体表面の偏摩耗が加速すると、クリーニング不良が発生するとともに、感光体の膜厚によってトナー濃度が変動し、その結果、濃度ムラ等の画像欠陥に至る場合がある。このため感光体には均一にトナーを供給し、摩耗量に偏りを生じさせないことが望ましい。
【０００３】
感光体表面の摩耗量に偏りを生じさせない方法としては、例えば、画像出力枚数に応じて感光体の軸方向全面にトナーを強制的に供給し、クリーニング手段によりトナーを除去する方法（特許文献１参照）が挙げられる。また、感光体の非画像領域に、軸方向に延びた帯状の潜像を形成して現像手段によりトナー像を形成し、これをクリーニング手段により除去する方法（特許文献２参照）等が挙げられる。
【０００４】
【特許文献１】特開２００３−３４５２０７号公報
【特許文献２】特開平０４−００５６７９号公報
【発明の開示】
【発明が解決しようとする課題】
【０００５】
しかし、特許文献１または特許文献２に記載されているような方法を用いる場合は、感光体表面に供給されるトナーの消費量が増大するため、コスト高の原因となり、生産性が低下するという問題がある。
また、生産性を向上させるために、一枚の記録紙の所定の位置に一定サイズの複数の画像を形成した後、裁断装置によりこれらの画像を裁断して複数のプリントに分割出力する方法も考えられる。例えば、図７は、一枚の記録紙に複数の画像を形成した場合を説明する図である。図７（ａ）に示すように、一枚の記録紙の所定の位置に４枚の画像を形成する場合は、４箇所の画像部と画像が形成されない非画像部とが生じる。このため、図７（ｂ）に示すように、感光体表面には、画像部に対応する部分にトナーが供給され、非画像部に対応する部分にはトナーが供給されない。その結果、図７（ｃ）に示すように、感光体のトナーが供給される部分（画像部）の磨耗量と、トナーが供給されない部分（非画像部）の磨耗量とに差が生じ、図７（ｄ）に示すように、感光体上のトナーの濃度ムラが発生するという問題がある。
【０００６】
本発明は、このような技術的課題を解決するためになされたものである。
即ち、本発明の目的は、像担持体上に形成されるトナー像の位置が偏在しないようにすることが可能な画像形成装置を提供することにある。
また、本発明の他の目的は、入力された画像データに応じて像担持体上にトナー像を形成する際に、像担持体表面の偏磨耗を抑制する画像形成方法を提供することにある。
【課題を解決するための手段】
【０００７】
上述した課題を解決するために、本発明においては、長手方向の記録紙と短手方向の記録紙とを混在させて出力する方法を採用している。
即ち、本発明によれば、記録媒体の長手方向を先端にした向きで給紙する第１の給紙部と、第１の給紙部から給紙される記録媒体と同一サイズの記録媒体について、この記録媒体の短手方向を先端にした向きで給紙する第２の給紙部と、第１の給紙部からの出力と第２の給紙部からの出力とを混在させるように制御する制御部とを含むことを特徴とする画像形成装置が提供される。
本発明が提供される画像形成装置は、入力された画像データに対して画像処理を施す画像処理部と、画像処理部により画像処理が施された画像データに基づいてトナー像を担持する像担持体と、像担持体に担持されたトナー像を記録媒体に転写する転写手段とを備えている。
ここで、制御部は、同一の画像を同一の向きで一定枚数以上出力した後に、画像処理部に対して画像回転処理を指示し、画像回転処理に連動して第１の給紙部および第２の給紙部の何れか一方からの給紙を制御することが好ましい。
また、制御部は、第１の給紙部からの出力と第２の給紙部からの出力とを交互に実行するように制御することもできる。
【０００８】
また、本発明が適用される画像形成装置は、出力すべき画像データに対して回転処理をする／しないを選択的に実行して画像処理を施す画像処理手段と、画像処理手段により画像処理が施された画像データに基づいて像担持体上に形成されたトナー像を記録媒体に転写してプリント出力する画像出力手段とを備え、画像出力手段は、画像処理手段による画像回転処理をする／しないに連動して記録媒体の送り方向を長手/短手で混在させた状態でプリント出力することにより、像担持体上に形成されるトナー像の位置の偏りを抑制することを特徴とすることができる。
画像処理手段は、画像データに対して９０度回転処理をする／しないを選択的に実行することができる。
また、画像処理手段は、記録媒体の長手／短手いずれか１方向で送られる記録媒体の所定の枚数に基づき画像データに対して回転処理をする／しないを選択的に実行することが好ましい。
さらに、画像処理手段は、記録媒体の長手／短手いずれか１方向で交互に送られる記録媒体の送り方向に基づき画像データに対して回転処理をする／しないを選択的に実行することもできる。
【０００９】
次に、本発明を方法のカテゴリーから把握すると、本発明によれば、入力された画像データに基づいて像担持体上にトナー像を形成し、像担持体上に形成されたトナー像を記録媒体に転写して出力する画像形成方法であって、記録媒体の短手方向および長手方向の何れか一方の向きを先端にして記録媒体を搬送し、一方の向きに対応して画像処理を施して像担持体上にトナー像を形成すると共に、形成されたトナー像を一方の向きで搬送される記録媒体に転写して出力し、一方の向きでの出力が所定の範囲を超えた状態にて、一方とは異なる他方の向きに対応して画像処理を施して像担持体上にトナー像を形成すると共に、形成されたトナー像を他方の向きで搬送される記録媒体に転写して出力することを特徴とする画像形成方法が提供される。
ここで、本発明が適用される画像形成方法においては、像担持体上に形成されたトナー像を一方の向きで搬送される記録媒体の所定の枚数に転写して出力した後、一方とは異なる他方の向きに応じて画像処理を施すことが好ましい。
また、本発明が適用される画像形成方法においては、像担持体上に形成されたトナー像を一方の向きで搬送される記録媒体に転写する出力と、一方とは異なる他方の向きで搬送される記録媒体に転写する出力と、を交互に実行することもできる。
【００１０】
さらに、本発明が適用される画像形成方法は、入力された画像データに基づき像担持体上にトナー像を形成する画像形成方法であって、トナー像が転写される所定の大きさの記録媒体の長手方向または短手方向を先端にした記録媒体の向きに応じて画像データを回転させて出力し、出力された画像データが収まるように、記録媒体の長手方向を先端にした記録媒体の向きと記録媒体の短手方向を先端にした記録媒体の向きとを切り替えて出力することを特徴とすることができる。
ここで、本発明が適用される画像形成方法においては、少なくとも１枚の記録媒体を記録媒体の短手方向を先端にして給紙し、続いて、少なくとも１枚の記録媒体を記録媒体の長手方向を先端にして給紙することが好ましい。
また、本発明が適用される画像形成方法では、像担持体上に、記録媒体の短手方向を先端にして所定枚数が給紙される向きにトナー像を形成し、その後、記録媒体の長手方向を先端にして所定枚数が給紙される向きにトナー像を形成するように画像データを回転し、像担持体の偏磨耗を抑制することができる。
【発明の効果】
【００１１】
本発明の画像形成装置によれば、感光体表面の偏摩耗が抑制される。
【発明を実施するための最良の形態】
【００１２】
以下、本発明を実施するための最良の形態（実施の形態）について、図面に基づき説明する。尚、本発明は、以下の実施の形態に限定されるものではなく、その要旨の範囲内で種々変形して実施することができる。また、使用する図面は、本実施の形態を説明するために使用するものであり、実際の大きさを表すものではない。
（画像形成装置）
図１は、本実施の形態が適用される画像形成装置の全体構成を説明するための図である。図１に示す画像形成装置は、記録紙としてＡ４サイズの短手方向を先端にしたカット紙（Ａ４Ｓ記録紙）及びＡ４サイズの長手方向を先端にしたカット紙（Ａ４Ｌ記録紙）を使用する。本体１００には、各色の階調データに対応して画像形成を行う画像形成手段が備えられている。
画像形成手段は、画像プロセス系１、記録紙給紙手段として記録紙（シート）を搬送するシート搬送系２、画像処理手段としてパーソナルコンピュータや画像読取部１０２等に接続され、受信された画像データに所定の画像処理を施す画像処理部（ＩＰＳ：Ｉｍａｇｅ  Ｐｒｏｃｅｓｓｉｎｇ  Ｓｙｓｔｅｍ）４０、制御手段として画像プロセス系１、シート搬送系２及び画像処理部（ＩＰＳ）４０を制御する制御部５０、を主要な構成としている。また、モード切替手段としてユーザーインターフェース（ＵＩ）１１０を備えている。尚、図１は、画像形成装置をユーザが操作する側（手前側）から見た図である。
【００１３】
画像読取部１０２は、受像素子やプラテンガラス等を備え、プラテンガラスに載置された原稿に光を照射してその反射光を受像素子で読み取り、この読み取り結果に基づいて、画像処理部（ＩＰＳ）４０によって画像データが生成される。画像形成装置はこのようにして生成された画像データに基づいて画像を形成するほか、図示せぬパーソナルコンピュータ等の外部装置から供給される画像データに基づいて画像処理部（ＩＰＳ）４０により画像を形成する。
【００１４】
画像プロセス系１は、水平方向に一定の間隔を置いて並列的に配置され、イエロー（Ｙ）、マゼンタ（Ｍ）、シアン（Ｃ）、ブラック（Ｋ）にそれぞれ対応する４個の画像形成ユニット１Ｙ，１Ｍ，１Ｃ，１Ｋ、この画像形成ユニット１Ｙ，１Ｍ，１Ｃ，１Ｋにおける感光体２Ｙ，２Ｍ，２Ｃ，２Ｋにそれぞれ形成された各色のトナー像を中間転写ベルト９上に多重転写させる転写ユニット３、を備えている。
また本体１００には、転写ユニット３によって２次転写された記録紙（シート）上の画像を、熱および圧力を用いて記録紙に定着させる定着器１５を備えている。さらに、画像形成ユニット１Ｙ，１Ｍ，１Ｃ，１Ｋに対して各色のトナーをそれぞれ供給するためのトナーカートリッジ３０Ｙ，３０Ｍ，３０Ｃ，３０Ｋが設けられている。
【００１５】
画像形成ユニット１Ｙ，１Ｍ，１Ｃ，１Ｋは、４個の色毎に、図１中の矢印Ａ方向に回転しながらトナー像を形成する感光体２Ｙ，２Ｍ，２Ｃ，２Ｋと、帯電ロールを用いて感光体２Ｙ，２Ｍ，２Ｃ，２Ｋを、それぞれ均一に帯電させる帯電器３Ｙ，３Ｍ，３Ｃ，３Ｋと、を備えている。
また、Ｙ，Ｍ，Ｃ，Ｋ各色の画像データに基いて変調された露光光を、帯電した感光体２Ｙ，２Ｍ，２Ｃ，２Ｋに照射することによりＹ，Ｍ，Ｃ，Ｋ各色の静電潜像を形成する露光部４Ｙ，４Ｍ，４Ｃ，４Ｋと、感光体２Ｙ，２Ｍ，２Ｃ，２Ｋに形成された静電潜像をトナーによって現像することで感光体２Ｙ，２Ｍ，２Ｃ，２Ｋにトナー像を形成する現像器５Ｙ，５Ｍ，５Ｃ，５Ｋと、転写後に感光体２Ｙ，２Ｍ，２Ｃ，２Ｋに残留したトナーをクリーニングするクリーナ７Ｙ，７Ｍ，７Ｃ，７Ｋと、感光体２Ｙ，２Ｍ，２Ｃ，２Ｋ上の静電潜像を消去させるイレーズランプ８Ｙ，８Ｍ，８Ｃ，８Ｋとを備えている。
【００１６】
転写ユニット３は、駆動ロール１０及び対向ロール１３に架け渡され、感光体２Ｙ，２Ｍ，２Ｃ，２Ｋと接触しながら、図１中の矢印Ｂ方向に循環移動する中間転写ベルト９と、中間転写ベルト９を挟んで感光体２Ｙ，２Ｍ，２Ｃ，２Ｋとニップ領域を形成し、このニップ領域において感光体２Ｙ，２Ｍ，２Ｃ，２Ｋ周面のトナー像を中間転写ベルト９に転写する１次転写ロール６Ｙ，６Ｍ，６Ｃ，６Ｋと、中間転写ベルト９を挟んで対向ロール１３とニップ領域を形成し、中間転写ベルト９上のトナー像を記録紙に２次転写する２次転写ロール１２とを備えている。尚、２次転写ロール１２と対向ロール１３とによって形成されているニップ領域を、以下では「２次転写位置」という。
【００１７】
シート搬送系２は、給紙部１７として、Ａ４サイズの短手方向を先端にしたカット紙（Ａ４Ｓ記録紙）を収容する収容トレイ１８Ｎと、収容トレイ１８ＮからＡ４Ｓ記録紙を送り出すフィードロール１７Ｎと、Ａ４Ｓ記録紙を搬送路２１Ｎに搬送する第１搬送ロール２３Ｎとを備えている。また、Ａ４Ｓとは別に、Ａ４サイズの長手方向を先端にしたカット紙（Ａ４Ｌ記録紙）を収容する収容トレイ１８Ｐと、収容トレイ１８ＰからＡ４Ｌ記録紙を送り出すフィードロール１７Ｐと、Ａ４Ｌ記録紙を搬送路２１Ｐに搬送する第１搬送ロール２３Ｐと、を備えている。
さらに、搬送路２１Ｎまたは搬送路２１Ｐから搬送されたＡ４Ｓ記録紙またはＡ４Ｌ記録紙を搬送する第２搬送ロール１９と、Ａ４Ｓ記録紙またはＡ４Ｌ記録紙を搬送路２０から２次転写位置に搬送するレジストロール２４とを備えている。
また、２次転写位置に設けられた対向ロール１３及び２次転写ロール１２を介して定着器１５に搬送され、トナー画像が定着されたＡ４Ｓ記録紙またはＡ４Ｌ記録紙を本体１００の機外に排出する排出ロール３４と、排出ロール３４によって排出口３５から排出されたＡ４Ｓ記録紙またはＡ４Ｌ記録紙を積載する排出トレイ３８を備えている。
【００１８】
次に、図１を用いて、画像形成装置の動作について説明する。
画像読取部１０２によって読み取られた原稿の色材反射光像や、図示しないパーソナルコンピュータ等にて形成された色材画像データは、例えば、Ｒ（赤）、Ｇ（緑）、Ｂ（青）の各８ビットの反射率データとして画像処理部（ＩＰＳ）４０に入力される。画像処理部（ＩＰＳ）４０では、入力された反射率データに対して、例えば、シェーディング補正、位置ズレ補正、明度／色空間変換、ガンマ補正、枠消しや色編集、移動編集等の各種画像編集等の所定の画像処理が施された画像データとして出力される。本実施の形態が適用される画像形成装置は、制御部５０からの指示により画像処理部（ＩＰＳ）４０において、画像データを９０度回転する／しない処理が選択的に実行される。画像データの回転処理については後述する。画像処理が施された画像データは、イエロー（Ｙ）、マゼンタ（Ｍ）、シアン（Ｃ）、黒（Ｋ）の４色の色材階調データに変換され、各画像形成ユニット１Ｙ，１Ｍ，１Ｃ，１Ｋに出力される。
【００１９】
各画像形成ユニット１Ｙ，１Ｍ，１Ｃ，１Ｋでは、感光体２Ｙ，２Ｍ，２Ｃ，２Ｋが帯電器３Ｙ，３Ｍ，３Ｃ，３Ｋによって所定の電位に帯電される。また、露光部４Ｙ，４Ｍ，４Ｃ，４Ｋは、画像処理部（ＩＰＳ）４０に入力された色材階調データに応じて発光し、感光体２Ｙ，２Ｍ，２Ｃ，２Ｋを照射している。感光体２Ｙ，２Ｍ，２Ｃ，２Ｋは、帯電された表面が露光されて静電潜像が形成される。本実施の形態では、画像処理部（ＩＰＳ）４０は、制御部５０からの指示により画像データを９０度回転する／しない処理を選択的に実行し、これに連動して使用する記録紙（Ａ４Ｓ記録紙またはＡ４Ｌ記録紙）に画像が収まるように出力する。形成された静電潜像は、各々の現像器５Ｙ，５Ｍ，５Ｃ，５Ｋにより、イエロー（Ｙ）、マゼンタ（Ｍ）、シアン（Ｃ）、黒（Ｋ）の各色のトナー像として現像される。画像形成ユニット１Ｙ，１Ｍ，１Ｃ，１Ｋの各感光体２Ｙ，２Ｍ，２Ｃ，２Ｋ上に形成されたトナー像は、各一次転写ロール６Ｙ，６Ｍ，６Ｃ，６Ｋによって中間転写ベルト９上に多重転写される。また、転写後の感光体２Ｙ，２Ｍ，２Ｃ，２Ｋは、クリーナ７Ｙ，７Ｍ，７Ｃ，７Ｋによってクリーニングされる。
【００２０】
シート搬送系２では、Ａ４Ｓ記録紙またはＡ４Ｌ記録紙の搬送動作が制御部５０により制御される。即ち、搬送路２１Ｎまたは搬送路２１Ｐに送られたＡ４Ｓ記録紙またはＡ４Ｌ記録紙は、トナー像が形成された中間転写ベルト９の移動タイミングに合わせてレジストロール２４が回転し、対向ロール１３および２次転写ロール１２によって形成される２次転写位置に搬送される。２次転写位置にて下方から上方に向けて搬送されるＡ４Ｓ記録紙またはＡ４Ｌ記録紙には、圧接力および所定の電界を用いて、４色が多重されているトナー像が副走査方向に順次、転写される。そして、各色のトナー像が転写されたＡ４Ｓ記録紙またはＡ４Ｌ記録紙は、定着器１５によって熱および圧力で定着処理を受けた後、排出ロール３４によって本体１００の上部に設けられた排出トレイ３８に排出される。一方、２次転写後の中間転写ベルト９は、ベルトクリーナ１４によってクリーニングされ、次のプロセスに備える。
【００２１】
次に、画像処理部（ＩＰＳ）４０及び制御部５０について説明する。
図２は、画像処理部（ＩＰＳ）４０及び制御部５０の処理を示す機能ブロック図である。図２に示す機能ブロック図において、画像処理部（ＩＰＳ）４０は、画像読取部（ＩＩＴ）またはパーソナルコンピュータ（ＰＣ）等からの画像データが入力する入力部４１、入力部４１に入力した画像データに、各種画像編集等の所定の画像処理を施す処理部４２、使用する記録紙（Ａ４Ｓ記録紙、Ａ４Ｌ記録紙）に画像が収まるように画像データの９０度回転をする／しない処理を行う回転処理部４３、処理部４２及び回転処理部４３において処理された画像データを出力する出力部４４とを備えている。
また、制御部５０は、画像形成（Ａ４Ｓ出力処理、Ａ４Ｌ出力処理）を実行した回数をカウントするカウンター５１、カウンター５１によりカウントされた回数を記憶するメモリ５２、画像形成の実行回数に応じて画像データの９０度回転をする／しない処理を指示する回転指示部５３とを備えている。
【００２２】
次に、画像処理部（ＩＰＳ）４０及び制御部５０の動作について説明する。
画像処理部（ＩＰＳ）４０は、入力部４１に入力した画像データを処理部４２において各種画像編集等の所定の画像処理を施し、さらに、回転処理部４３において使用する記録紙（Ａ４Ｓ記録紙、Ａ４Ｌ記録紙）に画像が収まるように画像データを９０度回転をする／しない処理が行われ、その後、各種画像編集等の所定の画像処理を施された画像データとともに出力部４４から出力され、一連の画像形成工程が実行される。
制御部５０は、カウンター５１によりカウントされてメモリ５２に記憶された画像形成の実行回数が所定の数値に達すると、回転指示部５３により画像処理部（ＩＰＳ）４０の回転処理部４３に、画像データを９０度回転をする／しない処理の指示がなされる。また、画像データを９０度回転をする／しない処理に連動して、記録紙（Ａ４Ｓ記録紙、Ａ４Ｌ記録紙）の収容トレイ１８Ｎ，１８Ｐ（図１）の選択、中間転写ベルト９（図１）の移動タイミング等の制御が行われる。
【００２３】
本実施の形態が適用される画像形成装置は、前述したように、制御部５０からの指示により画像処理部（ＩＰＳ）４０において、記録紙の所定の枚数毎に、画像データを９０度回転する処理がなされる。その結果、感光体２Ｙ，２Ｍ，２Ｃ，２Ｋ（以下、単に、感光体と言う。）上に均一にトナーが供給され、感光体表面の偏磨耗を抑制することができる。
図３は、感光体と記録紙との位置関係を説明する図である。図３（ａ）は、感光体に対するＡ４Ｓ記録紙の位置（ａ０−ａ１）及びＡ４Ｌ記録紙の位置（ａ０−ａ２）と、トナーの供給領域（ａ３−ａ４）とを表す。図３（ｂ）は、感光体の軸方向に対して、Ａ４サイズの短手方向を先端にしたＡ４Ｓ記録紙上の画像部及び画像データの向きを表し、同様に、図３（ｃ）は、Ａ４サイズの長手方向を先端にしたＡ４Ｌ記録紙上の画像部及び画像データの向きを表す。
図３（ｂ）に示されたＡ４Ｓ記録紙上に形成される画像データは、制御部５０からの指示によって画像処理部（ＩＰＳ）４０（図１）において９０度回転処理が実行され、図３（ｃ）に示されるように、Ａ４Ｌ記録紙上に収まるように処理される。
その結果、図３（ａ）に示すように、感光体上のトナー供給領域が、感光体の軸方向全体に拡がるので、感光体表面の偏磨耗が抑制され、また、感光体上のトナーの濃度ムラを抑制することができる。
【００２４】
次に、本実施の形態が適用される画像形成装置における制御部５０の回転処理ステップについて説明する。
図４は、制御部５０（図２）における回転処理ステップを説明するためのフローチャートである。図４では、初めに、５０枚のＡ４Ｓ記録紙に画像データを収める処理（Ａ４Ｓ出力処理）の後、続いて、５０枚のＡ４Ｌ記録紙に画像データを収める処理（Ａ４Ｌ出力処理）を行う場合の回転処理ステップが示されている。
先ず、Ａ４Ｓ出力処理について説明する。Ａ４Ｓ出力処理においては、使用する記録紙としてＡ４Ｓ記録紙を選択する（ステップ１０１）。続いて、一連の画像形成行程が実施され、画像データをＡ４Ｓ記録紙上に形成させる（ステップ１０２）。さらに、定着器により未定着トナー像をＡ４Ｓ記録紙上に定着させ（ステップ１０３）、Ａ４Ｓ出力処理が終了する。このとき、Ａ４Ｓ出力処理の回数がＡ４Ｓ記録紙の使用枚数として制御部５０に備えられたカウンター５１（図２）によりカウントされ、記憶手段であるメモリ５２（図２）に記憶される。続いて、次の画像の出力要求に対して、Ａ４Ｓ記録紙の使用枚数（Ｎ）が５０枚以下であるか否が判断される（ステップ１０４）。Ａ４Ｓ記録紙の使用枚数（Ｎ）が５０枚以下の場合は、再度、Ａ４Ｓ記録紙（Ｎ＝Ｎ＋１）を使用するＡ４Ｓ出力処理が繰り返される（ステップ１０５）。
【００２５】
次に、メモリ５２に記憶されるＡ４Ｓ記録紙の使用枚数（Ｎ）が５０枚を超えると、Ａ４Ｌ記録紙に画像データを収めるＡ４Ｌ出力処理が指示される（Ｎ＝０）（ステップ１０６）。Ａ４Ｌ出力処理においては、使用する記録紙としてＡ４Ｌ記録紙が選択される（ステップ１０７）。続いて、Ａ４Ｌ記録紙に収まるように画像データを９０度回転する指示が画像処理部（ＩＰＳ）４０（図２）になされる（ステップ１０８）。次いで、一連の画像形成行程が実施され、画像データをＡ４Ｌ記録紙上に形成させる（ステップ１０９）。さらに、定着器により未定着トナー像をＡ４Ｌ記録紙上に定着させ（ステップ１１０）、Ａ４Ｌ出力処理が終了する。このとき、Ａ４Ｌ出力処理の回数がＡ４Ｌ記録紙の使用枚数として制御部５０のカウンター５１によりカウントされ、メモリ５２に記憶される。続いて、次の画像の出力要求に対して、Ａ４Ｌ記録紙の使用枚数（Ｎ）が５０枚以下であるか否が判断される（ステップ１１１）。Ａ４Ｌ記録紙の使用枚数（Ｎ）が５０枚以下の場合は、再度、Ａ４Ｌ記録紙（Ｎ＝Ｎ＋１）を使用するＡ４Ｌ処理が繰り返される（ステップ１１２）。
さらに、メモリ５２に記憶されるＡ４Ｌ記録紙の使用枚数（Ｎ）が５０枚を超えると、Ａ４Ｓ記録紙に画像データを収めるＡ４Ｓ処理が指示され（Ｎ＝０）（ステップ１１３）、使用する記録紙としてＡ４Ｓ記録紙を使用するＡ４Ｓ出力処理が繰り返される。
このように、画像データ出力に際して、使用する記録紙５０枚毎に、用紙サイズをＡ４Ｓ記録紙からＡ４Ｌ記録紙に切り替えることによって、前述したように、感光体２上のトナー供給領域が感光体２の軸方向に拡がり、その結果、感光体２表面の偏摩耗を抑制することができる。
【００２６】
次に、制御部５０における画像データの回転処理の他の実施形態について説明する。
図５は、制御部５０（図２）における回転処理ステップの他の実施形態を説明するためのフローチャートである。図５では、Ａ４Ｓ出力処理とＡ４Ｌ出力処理とを交互に行う場合の回転処理ステップが示されている。
初めにＡ４Ｓ出力処理について説明する。Ａ４Ｓ出力処理においては、画像の出力要求に対して使用する記録紙としてＡ４Ｓ記録紙が選択される（ステップ２０１）。次に、一連の画像形成行程が実施されて、画像データをＡ４Ｓ記録紙上に形成する（ステップ２０２）。さらに、定着器により未定着トナー像をＡ４Ｓ記録紙上に定着させ（ステップ２０３）、Ａ４Ｓ出力処理が終了する。続いて、次の画像の出力要求に対して、Ａ４Ｌ出力処理がなされる。Ａ４Ｌ出力処理は、使用する記録紙としてＡ４Ｌ記録紙が選択される（ステップ２０４）。次いで、Ａ４Ｌ記録紙に収まるように画像データを９０度回転する指示が画像処理部（ＩＰＳ）４０（図２）になされる（ステップ２０５）。続いて、一連の画像形成行程が実施され、画像データをＡ４Ｌ記録紙上に形成する（ステップ２０６）。さらに、定着器により未定着トナー像をＡ４Ｌ記録紙上に定着させ（ステップ２０７）、Ａ４Ｌ出力処理が終了する。
さらに、次の画像の出力要求に対して、使用する記録紙としてＡ４Ｓ記録紙が選択され、再び、Ａ４Ｓ出力処理が行われ、その後、Ａ４Ｌ出力処理→Ａ４Ｓ出力処理→Ａ４Ｌ出力処理が交互に繰り返される。
このように、画像データ出力に際して、使用する記録紙の用紙サイズをＡ４Ｓ記録紙からＡ４Ｌ記録紙に交互に切り替えることによって、感光体２上のトナー供給領域が感光体２の軸方向に拡がり、その結果、感光体２表面の偏摩耗を抑制することができる。
【００２７】
以上、説明したように、画像形成装置において、画像データ出力に際して、画像処理手段による画像データの回転をする／しない処理に連動して、使用する記録紙の送り方向を長手／短手で混在させた状態で出力することによって、感光体上のトナー供給領域を感光体の軸方向に拡げることができる。その結果、感光体上のトナーの濃度ムラを抑制することができ、さらに、感光体表面の偏摩耗を抑制することができる。
【図面の簡単な説明】
【００２８】
【図１】本実施の形態が適用される画像形成装置の全体構成を説明するための図である。
【図２】画像処理部（ＩＰＳ）及び制御部の処理を示す機能ブロック図である。
【図３】感光体と記録紙との位置関係を説明する図である。
【図４】制御部における回転処理ステップを説明するためのフローチャートである。
【図５】制御部における回転処理ステップの他の実施形態を説明するためのフローチャートである。
【図６】感光体膜厚の減少とトナー濃度との関係を説明するための図である。
【図７】一枚の記録紙に複数の画像を形成した場合を説明する図である。
【符号の説明】
【００２９】
１…画像プロセス系、２…シート搬送系、３…転写ユニット、９…中間転写ベルト、１０…駆動ロール、１２…２次転写ロール、１３…対向ロール、１５…定着器、１７…給紙部、１７Ｎ，１７Ｐ…フィードロール、１８Ｎ，１８Ｐ…収容トレイ、１９…第２搬送ロール、２１Ｎ，２１Ｐ…搬送路、２３Ｎ，２３Ｐ…第１搬送ロール、２４…レジストロール、３４…排出ロール、３８…排出トレイ、４０…画像処理部（ＩＰＳ）、５０…制御部、１００…本体、１０２…画像読取部、１１０…ユーザーインターフェース（ＵＩ）、１Ｙ，１Ｍ，１Ｃ，１Ｋ…画像形成ユニット、２Ｙ，２Ｍ，２Ｃ，２Ｋ…感光体、３Ｙ，３Ｍ，３Ｃ，３Ｋ…帯電器、４Ｙ，４Ｍ，４Ｃ，４Ｋ…露光部、５Ｙ，５Ｍ，５Ｃ，５Ｋ…現像器、７Ｙ，７Ｍ，７Ｃ，７Ｋ…クリーナ、８Ｙ，８Ｍ，８Ｃ，８Ｋ…イレーズランプ、３０Ｙ，３０Ｍ，３０Ｃ，３０Ｋ…トナーカートリッジ
【図１】
2006267867.tif 000003
【図２】
2006267867.tif 000004
【図３】
2006267867.tif 000005
【図４】
2006267867.tif 000006
【図５】
2006267867.tif 000007
【図６】
2006267867.tif 000008
【図７】
2006267867.tif 000009